(57)【要約】【課題】  簡単な構造で、谷樋に集まる雨水を確実に横樋に流して排水することができる雨樋を提供する。【解決手段】  屋根の軒先１３の近傍に重ねられ屋根を流れる雨水が流れる集水板２０と、集水板２０に設けられ雨水が通過する透孔３０と、集水板２０の軒先１３側端部に設けられ屋根の軒先１３に設けられた横樋１８の内側に向かって折り曲げられたガイド板３２を備える。集水板２０の下方には、透孔３０から落下した雨水が通過して横樋１８に流れる通水路である谷樋１６を有する。集水板２０の尾根側端部は、屋根を流れる雨水を取りやすいように屋根に接して取り付けられ、集水板２０の軒先側端部は、透孔３０を雨水が通過するように屋根から所定間隔離れて取り付けられる。【選択図】        図１
2005139847.tif 000002
【特許請求の範囲】
【請求項１】
屋根の軒先近傍に重ねられて設けられこの屋根を流れる雨水が流れる集水板と、上記集水板に設けられ雨水が通過する透孔と、上記集水板の軒先側端部に設けられ上記屋根の軒先に設けられた横樋の内側に向かって折り曲げられたガイド板と、上記集水板の上記透孔から落下した雨水が通過して上記横樋に流れる通水路が設けられていることを特徴とする雨樋。
【請求項２】
上記集水板は、交差する一対の棟の屋根の境界線に設けられた谷樋の上に設けられ、上記通水路は上記谷樋であることを特徴とする請求項１記載の雨樋。
【請求項３】
上記集水板に設けられた透孔は、上記集水板に取り付けられたメッシュであることを特徴とする請求項１記載の雨樋。
【請求項４】
上記集水板は、屋根の瓦の表面に沿う形状に形成され、上記集水板が取り付けられた瓦の上端側に隣接する瓦が、上記集水板の上端側端部に載り上記集水板を係止していることを特徴とする請求項１記載の雨樋。
【発明の詳細な説明】
【技術分野】
【０００１】
この発明は、屋根の雨水を通過させ、横樋等の排水路に導く雨樋に関する。
【背景技術】
【０００２】
従来、勾配を有する屋根が設けられた家屋は、軒先に設けられ断面が半円状の横樋で屋根表面を流れる雨水を受け、家屋の側方の縦樋に集めて排水する。特に、勾配を有する屋根が設けられた棟がＬ字形に形成されている家屋は、角部分に谷が形成され、この谷に沿って、谷樋が取り付けられている。谷樋は、屋根の中心側の尾根から屋根の先端の軒先にかけて取り付けられ、断面形状は屋根の谷に沿うＶ字形に形成されている。
【特許文献１】特開平７−２７９３２９号公報
【発明の開示】
【発明が解決しようとする課題】
【０００３】
Ｌ字形に形成された棟は、谷樋に雨水が集中し、雨が激しくなると集まった雨水が横樋を通り越して外側に勢いよく流れ落ちることがあった。このとき、雨水が滝のように庭に落下し、庭土が流されたり、跳ね返る土や砂で家屋が汚れたり、また家屋の耐久性を損なう恐れもある。また、水が庭に落ちる騒音も大きかった。
【０００４】
この発明は、上記従来の技術の問題点に鑑みてなされたものであり、簡単な構造で、谷樋に集まる雨水を確実に横樋に流して排水することができる雨樋を提供することを目的とする。
【課題を解決するための手段】
【０００５】
本発明は、屋根の軒先近傍に重ねられて設けられこの屋根を流れる雨水が流れる集水板と、上記集水板に設けられ雨水が通過する透孔と、上記集水板の軒先側端部に設けられ上記屋根の軒先に設けられた横樋の内側に向かって折り曲げられたガイド板と、上記集水板の上記透孔から落下した雨水が通過して上記横樋に流れる通水路が上記集水板の下方に設けられている。そして、上記集水板の尾根側端部は、屋根を流れる雨水を取りやすいように屋根に接して取り付けられ、上記集水板の軒先側端部は、雨水が詰まることなく通過するように屋根から所定間隔離れて取り付けられている。
【０００６】
また上記集水板は、交差する一対の棟の屋根の境界線に設けられた谷樋の上に設けられている。上記通水路は、谷樋である。上記集水板に設けられた透孔は、上記集水板に設けられたメッシュでも良い。また、上記集水板は、屋根の瓦の表面に沿う形状に形成され、上記集水板が取り付けられた瓦の上端側に隣接する瓦が、上記集水板の上端側端部に載り上記集水板を係止している。
【０００７】
さらに、上記集水板の、屋根の尾根側端部には、瓦等に係止される係止板が所定角度で折り曲げられて設けられていても良く、上記集水板には、上記ガイド板に交差する側縁部に、ガイド板と同じ方向へ折り曲げられた側面部が設けられていても良い。
【発明の効果】
【０００８】
本発明の雨樋は、多量の雨水を確実に横樋に流し、縦樋から排水することができる。これにより雨水が横樋を通り越して庭へ落ちることを防ぎ、庭を保護し、雨水が溢れることによる騒音も防止する。
【発明を実施するための最良の形態】
【０００９】
以下、この発明の実施形態について、図面に基づいて説明する。図１、図２は、この発明の一実施形態を示すもので、この実施形態の雨樋１０は、ほぼＬ字形に形成された建築物の交差する家屋の、第一棟１２と第二棟１４の境界部分に設けられている。第一棟１２と第二棟１４の屋根の境界部分は、尾根１１より内側は谷となり、その谷を覆う谷樋１６が、尾根１１から軒先１３にかけて取り付けられている。谷樋１６の断面形状は、一対の屋根の谷に沿う広角のＶ字形に形成されている。第一棟１２と第二棟１４の軒先１３には、雨樋１０の横樋１８がＬ字形に取り付けられている。谷樋１６の軒先側端部１６ａは、横樋１８の屋根側側側縁部１８ａに沿って横樋１８内壁部に曲げられるガイド板１７が設けられている。
【００１０】
谷樋１６の軒先側端部１６ａ付近には、雨樋１０の集水板２０が重ねられて向けられている。集水板２０は、谷樋１６に沿う広角のＶ字形であり、中央の折れ線２２は、集水板２０のほぼ中心で軒先側端部２０ａに近付くにつれて互いに離れる折線２４，２６に分岐されている。折線２４，２６の間は、三角形の集水面２８となる。集水面２８とその周辺には、雨水を集水板２０の下に落とす透孔３０が複数個設けられている。そして集水板２０の軒先側端部２０ａは、谷樋１６の軒先側端部１６ａよりも外側に位置している。集水板２０の軒先側端部２０ａには、横樋１８の底部１８ｃに向かって折り曲げられたガイド板３２が設けられている。ガイド板３２は、谷樋１６のガイド板１７とは、所定間隔離れている。集水板２０の、軒先側端部２０ａに対してほぼ直角な側縁部２０ｂ、２０ｃには、屋根に取り付けるための取付部３４が、集水板２０の側方に突出して設けられている。取付部３４の中心には、ネジ用穴３６が形成されている。
【００１１】
この実施形態の雨樋１０の作用について説明する。まず雨が降ると、屋根の谷樋１６付近に降った雨は、谷樋１６に集まり、流れる雨水の大部分が、集水板２０表面側に流れる。そして集水面２８に流れるとき、透孔３０から、雨水が下の谷樋１６に落ちる。谷樋１６と集水板２０の間は雨水の通水路となり、雨水は軒先１３に向かって流れ、ガイド板１７に沿って横樋１８に落ちる。雨が多く、勢いよく谷樋１６を流れても集水板２０のガイド板３２の内壁に当たって下に落ちるため、横樋１８の外に飛び出すことがない。そして、横樋１８に落ちた雨水は図示しない縦樋を通って地面や排水溝に、排水される。
【００１２】
この実施形態の雨樋１０によれば、簡単な構造で、谷樋１６に集まる雨水を、横樋１８に流し、排水することができる。これにより、雨が激しく降るときも雨水が横樋１８を飛び越すことを防ぎ、庭に雨水が滝のように流れることがなく、庭を保護し、また庭の砂がはねることによる建物の汚れを防止する。水が落ちる音が発生せず、静かである。また、雨水の全部が集水板２０の透孔３０から下に落ちなくても、集水板２０の上を流れる雨水が減速し、少量になるので、雨水が走らず横樋１８を飛び越えることはないので、目的は達成される。また、落ち葉やゴミは集水板２０表面を滑り落ち、雨水だけ透孔３０を通って横樋１８にながれるため、横樋１８と図示しない縦樋の故障を防ぎ、保守、清掃作業を軽減することができる。
【００１３】
なおこの発明の雨樋は、上記雨樋１０以外に、図３、図４に示す雨樋３８のように、谷樋が谷樋本体５４と谷樋先端部材５５に分割され、谷樋本体５４と谷樋先端部材５５の間に、設けられても良い。雨樋３８の集水板４０は、中央の折れ線４２が、集水板４０の中心付近で軒先側端部４０aに近付くにつれて互いに離れる折れ線４４，４６に分岐されている。そして折れ線４４，４６は所定位置で曲がり、そこから先端は互いに平行となり軒先側端部４０ａに達している。折れ線４４，４６の間には、互いに交差する角度を有する部分が三角形の第一集水面４８がとなり、互いに平行な部分の間は、四角形の第二集水面５０となる。第一集水面４８と第二集水面５０には、雨水が落下する透孔５２が複数個設けられている。集水板４０の軒先側端部４０aには、ガイド板５１が設けられている。
【００１４】
集水板４０の尾根側端部４０ｂには、谷樋本体５４が重ねられて取り付けられている。集水板４０の下には、谷樋先端部５５が設けられている。
【００１５】
この雨樋３８によれば、谷樋本体５４に集められた雨水がすべて集水板４０に流れるため、横樋１８に確実に落下させ、効率よく排水することができる。
【００１６】
また、上記実施形態の雨樋１０の透孔３０は、図５に示すように、集水面２８に外円５６が形成され、外円５６の中心に透孔５８が形成されていても良い。外縁５６の内側は、透孔５８に向かうテーパ面５９が形成されている。また、図６のように、外円５８に対して透孔５８が軒先側に移動したものでも良い。
【００１７】
また、雨樋１０の集水面２８は、図７のようにメッシュ６０で設けられても良い。メッシュ６０は、隙間が大きいため、効率よく雨水を落下させることができる。
【００１８】
また、図８のように、家屋の第一棟１２の、屋根の幅が第二棟１４よりも小さく、谷樋１６が第二棟１４の屋根の途中で切れている場合は、谷樋１６の延長線上の軒先に雨樋１０を取り付けると良い。
【００１９】
また、図９、図１０に示すように、瓦屋根用の雨樋６１でも良い。雨樋６１の集水板６２は、瓦６４表面に沿う湾曲した形状であり、中央のくぼみ部分には透孔６５が形成されている。集水板６２の軒先側端部６２ａに近い部分には、軒先側端部６２aに平行な折れ線６６が設けられ、折れ線６６と軒先側端部６２aの間は、平面６８が形成されている。そして、軒先側端部６２aには、ガイド板７０が設けられている。尾根側端部６２ｂには、ガイド部７０とほぼ同じ方向に折り曲げられた係止板７２が設けられている。
【００２０】
集水板６２の取付方法は、集水板６２を屋根の軒先１３に位置する瓦６４aの上に取り付け、集水板６２の係止板７２は、瓦６４aの尾根側の端面に当接して係止されている。集水板６２の尾根側端部６２ｂの上には、軒先１３の二番目の列の瓦６４ｂ、つまり瓦６４ａの尾根側に隣接する瓦６４ｂを載せて、集水板６２を係止する。
【００２１】
この瓦屋根用の雨樋６１によれば、瓦屋根にも違和感なく取り付けられ、雨水を確実に排水することができる。
【００２２】
また、図１１のように金属板平葺屋根用の雨樋７４でもよい。雨樋７４の集水板７６は平面で形成され、集水板７６の軒先側端部７６aに近い部分には、軒先側端部７６ａに平行な折れ線７８が設けられ、折れ線７８と軒先側端部７６ａの間は、集水板７６に対して所定角度で連続する平坦な集水面７９が形成されている。集水板７６と集水面７９には透孔８０が形成されている。集水板７６の軒先側端部７６aには、集水面７９に隣接してガイド板８２が設けられている。集水板７６と集水面７９の、軒先側端部７６aに対してほぼ直角な側縁部には、側面板８４が設けられている。集水面７６の尾根側端部７６ｂには、ガイド板８２の突出方向と反対側に折り曲げられ集水板７６に所定角度で折り返す係止板８４が設けられている。
【００２３】
この瓦屋根用の雨樋７４によれば、金属板平葺屋根にも違和感なく取り付けられ、雨水を確実に排水することができる。
【００２４】
なお、瓦屋根用の雨樋６２や金属板平葺屋根用の雨樋７３にも、透孔６４，８０のかわりにメッシュを用いても良い。また、各雨樋は谷樋以外のところに設けても良い。各雨樋は、集水板のガイド部を、横樋の屋根から離れた側縁部にコーキング等で接着させて、落ち葉やゴミの進入を防いでも良い。また、各雨樋は材質は問わず、板金やプラスチックなど自由に設定可能である。である。
【図面の簡単な説明】
【００２５】
【図１】この発明の一実施形態の雨樋の平面図である。
【図２】この実施形態の雨樋の分解斜視図である。
【図３】この実施形態の雨樋の変形例を示す分解斜視図である。
【図４】図３に示す雨樋の縦断面図である。
【図５】この実施形態の雨樋の透孔を示す平面図（a）と縦断面図（ｂ）である。
【図６】この実施形態の雨樋の透孔を示す平面図（a）と縦断面図（ｂ）である。
【図７】この実施形態の雨樋の変形例を示す分解斜視図である。
【図８】この実施形態の雨樋の変形例を示す平面図である。
【図９】この実施形態の瓦屋根用の雨樋を示す斜視図である。
【図１０】図９に示す瓦屋根用の雨樋を示す縦断面図である。
【図１１】この実施形態の金属板平葺屋根用の雨樋を示す斜視図である。
【符号の説明】
【００２６】
１０  雨樋
１１  尾根
１２  第一棟
１３  軒先
１４  第二棟
１６  谷樋
１８  横樋
２０  集水板
２２，２４，２６  折れ線
２８  集水面
３０  透孔
３２  ガイド板
３４  取付部
【図１】
2005139847.tif 000003
【図２】
2005139847.tif 000004
【図３】
2005139847.tif 000005
【図４】
2005139847.tif 000006
【図５】
2005139847.tif 000007
【図６】
2005139847.tif 000008
【図７】
2005139847.tif 000009
【図８】
2005139847.tif 000010
【図９】
2005139847.tif 000011
【図１０】
2005139847.tif 000012
【図１１】
2005139847.tif 000013